(57)【要約】【課題】  ＤＶＤ−ＶＲ規格で記録されたデュアルモノラル音声をＤＶＤ−Ｖｉｄｅｏで許されているモノラル音声またはステレオ音声へ変換する際に、音声情報を復号し、再符号化を行う従来装置では、高速に変換処理することが困難である。【解決手段】  モノラルストリーム分離器１４１は、デュアルモノラル音声ストリームのオーディオデータを２つのチャンネルに分離し、モノラル音声ストリームのオーディオデータを得る。また、モノラル情報抽出器１４２は、ＲＤＩ−ＮＡＶパック変換器１３から供給されるＲＤＩパックから、モノラル音声ストリームへの変換時に使用する付加情報を抽出する。モノラルストリーム付加情報多重器１４３及び１４４は、オーディオデータと付加情報を多重化した後、不足している付加情報があれば、変換、再計算を行った上で、再度多重化を行い、第１及び第２のモノラル音声ＰＥＳストリームを生成する。【選択図】            図１
2006349977.tif 000002
【特許請求の範囲】
【請求項１】
互いに独立した２チャンネルのモノラル音声信号が、ＭＰＥＧ方式又はＭＰＥＧ方式と互換性のある符号化方式により圧縮符号化されてなるオーディオデータを含むデュアルモノラル音声ストリームのフォーマットを、１チャンネルのモノラル音声信号がＭＰＥＧ方式又はＭＰＥＧ方式と互換性のある符号化方式により圧縮符号化されてなるオーディオデータを含むモノラル音声ストリームのフォーマットに変換する音声フォーマット変換装置であって、
前記デュアルモノラル音声ストリーム中の前記オーディオデータを２つのチャンネルに復号及び再符号化することなく分離して第１及び第２の分離オーディオデータを得る分離手段と、
前記第１及び第２の分離オーディオデータのそれぞれに、前記モノラル音声ストリームを構成するために必要な付加情報を多重化し、かつ、不足している付加情報を生成して多重化すると共に、前記付加情報中の符号化に関係しない補助情報のビット数を、全体のビット長が所定の固定長となるように調整して、２つの前記モノラル音声ストリームを生成する多重化手段と
を有することを特徴とする音声フォーマット変換装置。
【請求項２】
互いに独立した２チャンネルのモノラル音声信号がＭＰＥＧ方式又はＭＰＥＧ方式と互換性のある符号化方式により圧縮符号化されてなるオーディオデータを含むデュアルモノラル音声ストリームのフォーマットを、１チャンネルのモノラル音声信号がＭＰＥＧ方式又はＭＰＥＧ方式と互換性のある符号化方式により圧縮符号化されてなるオーディオデータを含むモノラル音声ストリームのフォーマットに変換する音声フォーマット変換装置であって、
少なくとも前記デュアルモノラル音声ストリームのフォーマットを、２つのチャンネルの前記モノラル音声ストリームのフォーマットに変換するときに増大するビット量分に相当するビット量の符号化に関係しない補助情報が予め挿入された前記デュアルモノラル音声ストリームが記憶された記憶手段と、
前記記憶手段から読み出された前記デュアルモノラル音声ストリーム中の前記オーディオデータを２つのチャンネルに復号及び再符号化することなく分離して第１及び第２の分離オーディオデータと第１及び第２の符号化に関係しない補助情報を得る分離手段と、
前記第１の分離オーディオデータ及び前記第１の符号化に関係しない補助情報と、前記第２の分離オーディオデータ及び前記第２の符号化に関係しない補助情報のそれぞれに、前記モノラル音声ストリームを構成するために必要な付加情報を多重化し、かつ、不足している付加情報を生成して多重化して、２つの前記モノラル音声ストリームを生成する多重化手段と
を有することを特徴とする音声フォーマット変換装置。
【請求項３】
前記多重化手段は、前記モノラル音声ストリームを構成するために必要な付加情報で、かつ、前記デュアルモノラル音声ストリームとは別に入力されるパック中に予め挿入されている、ヘッダ情報と前記補助情報のビット長とを抽出して取得する手段を有することを特徴とする請求項１又は２記載の音声フォーマット変換装置。
【請求項４】
互いに独立した２チャンネルのモノラル音声信号がＭＰＥＧ方式又はＭＰＥＧ方式と互換性のある符号化方式により圧縮符号化されてなるオーディオデータを含むデュアルモノラル音声ストリームを生成する符号化装置において、
前記互いに独立した２チャンネルのモノラル音声信号を、ＭＰＥＧ方式又はＭＰＥＧ方式と互換性のある符号化方式により別々に圧縮符号化して第１及び第２のオーディオデータを生成する符号化手段と、
前記デュアルモノラル音声ストリームを構成するのに必要な付加情報を生成して、前記第１及び第２のオーディオデータに多重化すると共に、前記デュアルモノラル音声ストリームのフォーマットを、１チャンネルのモノラル音声信号が前記ＭＰＥＧ方式又はＭＰＥＧ方式と互換性のある符号化方式により圧縮符号化されてなるオーディオデータを含むモノラル音声ストリームのフォーマットに変換するときに増大するビット量分に相当するビット量の符号化に関係しない補助情報を前記第１及び第２のオーディオデータに多重化して前記デュアルモノラル音声ストリームを生成するストリーム生成手段と、
前記デュアルモノラル音声ストリームから前記モノラル音声ストリームへの変換時に使用する前記補助情報のビット長と前記モノラル音声ストリームのヘッダ情報とを含むパックを生成するパック生成手段と
を有し、前記ストリーム生成手段により生成された前記デュアルモノラル音声ストリームと、前記パック生成手段により生成された前記パックとをそれぞれ出力することを特徴とする符号化装置。
【発明の詳細な説明】
【技術分野】
【０００１】
本発明は音声フォーマット変換装置及び符号化装置に係り、特にＤＶＤ−ＶＲ（Video-Recording）規格によるＭＰＥＧ（Moving Picture Experts Group）オーディオデュアルモノラル音声ストリームを、ＤＶＤ−Ｖｉｄｅｏ規格に則ったＭＰＥＧオーディオモノラル２チャンネルストリームに変換する音声フォーマット変換装置及びＭＰＥＧオーディオモノラル２チャンネルストリームを生成する符号化装置に関する。
【背景技術】
【０００２】
ディジタル多用途光ディスク（ＤＶＤ：Digital Versatile Disk）では複数の規格が混在しており、そのうち記録再生装置に向けて規格制定されたＤＶＤ−ＶＲ規格では、音声符号化の一方式であるＭＰＥＧオーディオ符号化方式を採用している。このＤＶＤ−ＶＲ規格では、異なる２チャンネルの独立した音声を記録するフォーマットとして、デュアルモノラル音声フォーマットでの記録が認められている。このデュアルモノラル音声フォーマットは、例えば現行テレビ放送の二ヶ国語放送で日本語音声と英語音声を記録する場合に使用することができる。
【０００３】
一方、再生専用機に向けて規格制定されたＤＶＤ−Ｖｉｄｅｏ規格では、音声符号化方式としてＭＰＥＧオーディオ符号化方式を採用しているが、上記のデュアルモノラル音声フォーマットでの記録が許されていない。
【０００４】
このため、ＤＶＤ−ＶＲ規格のストリームをＤＶＤ−Ｖｉｄｅｏ規格のストリームに変換する機能を備えた記録再生装置では、ＤＶＤ−ＶＲ規格に則って符号化されたデュアルモノラル音声ストリームをＤＶＤ−Ｖｉｄｅｏ規格に則した音声ストリームに変換する場合、符号化されたデュアルモノラル音声ストリームのどちらか一方の音声チャンネルを選択して音声信号を復号し、再符号化を行っている。この変換によって得られる音声ストリームは、音声が１チャンネルとなり、もう一方の音声チャンネルの信号は失われる。
【０００５】
また、ＤＶＤ−ＶＲ規格で記録された情報をデコードし、デコード信号をフォーマット変換部でＤＶＤ−Ｖｉｄｅｏ規格の情報に変換するのに先立ち、マイクロコンピュータ部によりデコード信号のパラメータの変化を検出し、パラメータの変化後に続くデコード信号をＤＶＤ−Ｖｉｄｅｏフォーマットの情報として新たなタイトルとして管理する管理情報を作成するようにした記録再生装置が従来から知られている（例えば、特許文献１参照）。この記録再生装置では、ＤＶＤ−ＶＲ規格で記録されたタイトル内に異なる解像度を持つ複数のストリームが存在した場合、解像度が異なる部分で自動的にタイトルを分割して、ＤＶＤ−Ｖｉｄｅｏ規格のデータに変換する処理を行う。
【０００６】
【特許文献１】特開２００３−１５３１７０号公報
【発明の開示】
【発明が解決しようとする課題】
【０００７】
しかるに、特許文献１記載の記録再生装置では、ＤＶＤ−ＶＲ規格で記録されたデュアルモノラル音声をＤＶＤ−Ｖｉｄｅｏで許されているモノラル音声またはステレオ音声へ変換する際に、音声情報を復号し、再符号化を行っているため、高速に処理することが困難である。
【０００８】
また、一部のパーソナルコンピュータのソフトウェアではデュアルモノラル音声ストリームを復号し、２チャンネル音声を各々に再符号化を行うことでモノラル音声２ストリームの信号を作成可能なものがあるが、このものも処理に復号、再符号化を伴うため、高速に変換することが困難である。
【０００９】
本発明は以上の点に鑑みなされたもので、ＤＶＤ−ＶＲ規格等の第１の規格で記録されたデュアルモノラル音声ストリームを、ＤＶＤ−Ｖｉｄｅｏ規格等の第２の規格に則した、モノラル音声２ストリームに高速に変換し得る音声フォーマット変換装置及び符号化を行い得る符号化装置を提供することを目的とする。
【課題を解決するための手段】
【００１０】
上記の目的を達成するため、本発明の音声フォーマット変換装置は、互いに独立した２チャンネルのモノラル音声信号が、ＭＰＥＧ方式又はＭＰＥＧ方式と互換性のある符号化方式により圧縮符号化されてなるオーディオデータを含むデュアルモノラル音声ストリームのフォーマットを、１チャンネルのモノラル音声信号がＭＰＥＧ方式又はＭＰＥＧ方式と互換性のある符号化方式により圧縮符号化されてなるオーディオデータを含むモノラル音声ストリームのフォーマットに変換する音声フォーマット変換装置であって、
デュアルモノラル音声ストリーム中のオーディオデータを２つのチャンネルに復号及び再符号化することなく分離して第１及び第２の分離オーディオデータを得る分離手段と、第１及び第２の分離オーディオデータのそれぞれに、モノラル音声ストリームを構成するために必要な付加情報を多重化し、かつ、不足している付加情報を生成して多重化すると共に、付加情報中の符号化に関係しない補助情報のビット数を、全体のビット長が所定の固定長となるように調整して、２つのモノラル音声ストリームを生成する多重化手段とを有することを特徴とする。
【００１１】
この発明では、デュアルモノラル音声ストリーム中のオーディオデータを復号及び再符号化することなく２つのチャンネルに分離した第１及び第２の分離オーディオデータに対して多重化される、符号化に関係しない補助情報のビット数を調整することにより、予め定められた固定長の２つのモノラル音声ストリームを生成することができる。
【００１２】
また、上記の目的を達成するため、本発明の音声フォーマット変換装置は、互いに独立した２チャンネルのモノラル音声信号がＭＰＥＧ方式又はＭＰＥＧ方式と互換性のある符号化方式により圧縮符号化されてなるオーディオデータを含むデュアルモノラル音声ストリームのフォーマットを、１チャンネルのモノラル音声信号がＭＰＥＧ方式又はＭＰＥＧ方式と互換性のある符号化方式により圧縮符号化されてなるオーディオデータを含むモノラル音声ストリームのフォーマットに変換する音声フォーマット変換装置であって、
少なくともデュアルモノラル音声ストリームのフォーマットを、２つのチャンネルのモノラル音声ストリームのフォーマットに変換するときに増大するビット量分に相当するビット量の符号化に関係しない補助情報が予め挿入されたデュアルモノラル音声ストリームが記憶された記憶手段と、記憶手段から読み出されたデュアルモノラル音声ストリーム中のオーディオデータを２つのチャンネルに復号及び再符号化することなく分離して第１及び第２の分離オーディオデータと第１及び第２の符号化に関係しない補助情報を得る分離手段と、第１の分離オーディオデータ及び第１の符号化に関係しない補助情報と、第２の分離オーディオデータ及び第２の符号化に関係しない補助情報のそれぞれに、モノラル音声ストリームを構成するために必要な付加情報を多重化し、かつ、不足している付加情報を生成して多重化して、２つのモノラル音声ストリームを生成する多重化手段とを有することを特徴とする。
【００１３】
この発明では、フォーマット変換元のデュアルモノラル音声ストリームの一部を構成する符号化に関係しない補助情報のビット量が、モノラル音声ストリームへフォーマット変換したときに想定される増大するビット量分に予め設定されて記憶手段に記憶されるようにしたため、その記憶手段から読み出されたデュアルモノラル音声ストリームをモノラル音声ストリームへフォーマット変換するときには、補助情報のビット量の調整のための計算をすることなく、各々上記の符号化に関係しない補助情報により所定の固定長とされたモノラル音声２ストリームを得ることができる。
【００１４】
ここで、上記の多重化手段は、モノラル音声ストリームを構成するために必要な付加情報で、かつ、デュアルモノラル音声ストリームとは別に入力されるパック中に予め挿入されている、ヘッダ情報と補助情報のビット長とを抽出して取得する手段を有することを特徴とする。
【００１５】
また、上記の目的を達成するため、本発明の符号化装置は、互いに独立した２チャンネルのモノラル音声信号がＭＰＥＧ方式又はＭＰＥＧ方式と互換性のある符号化方式により圧縮符号化されてなるオーディオデータを含むデュアルモノラル音声ストリームを生成する符号化装置において、
互いに独立した２チャンネルのモノラル音声信号を、ＭＰＥＧ方式又はＭＰＥＧ方式と互換性のある符号化方式により別々に圧縮符号化して第１及び第２のオーディオデータを生成する符号化手段と、デュアルモノラル音声ストリームを構成するのに必要な付加情報を生成して、第１及び第２のオーディオデータに多重化すると共に、デュアルモノラル音声ストリームのフォーマットを、１チャンネルのモノラル音声信号がＭＰＥＧ方式又はＭＰＥＧ方式と互換性のある符号化方式により圧縮符号化されてなるオーディオデータを含むモノラル音声ストリームのフォーマットに変換するときに増大するビット量分に相当するビット量の符号化に関係しない補助情報を第１及び第２のオーディオデータに多重化してデュアルモノラル音声ストリームを生成するストリーム生成手段と、デュアルモノラル音声ストリームからモノラル音声ストリームへの変換時に使用する補助情報のビット長とモノラル音声ストリームのヘッダ情報とを含むパックを生成するパック生成手段とを有し、ストリーム生成手段により生成されたデュアルモノラル音声ストリームと、パック生成手段により生成されたパックとをそれぞれ出力することを特徴とする。
【００１６】
この発明では、デュアルモノラル音声ストリームをモノラル音声ストリームへフォーマット変換することを前提とし、かつ、そのフォーマット変換を簡単にできることを目的としたデュアルモノラル音声ストリームを上記のフォーマット変換時に使用するパックと共に生成して出力することができる。
【発明の効果】
【００１７】
本発明によれば、デュアルモノラル音声ストリームからモノラル音声ストリームへフォーマット変換するに際し、デュアルモノラル音声ストリーム中のＭＰＥＧ方式又はそれと互換性のある符号化方式で符号化されているオーディオデータを復号及び再符号化することなく、並び替えで２つのモノラル音声ストリームへ変換できるようにしたため、オーディオデータを復号及び再符号化するための時間が不要であり、高速にフォーマット変換することができる。
【発明を実施するための最良の形態】
【００１８】
次に、本発明の実施の形態について図面と共に説明する。図１は本発明になる音声フォーマット変換装置の一実施の形態のブロック図を示す。本実施の形態は、ＤＶＤ−ＶＲ規格に準拠した符号化データストリームが格納されている第１の外部記憶装置１１と、ＤＶＤ−ＶＲ規格に準拠した符号化データストリームを画像ＰＥＳ（Packetized Elementary Stream）ストリームと、デュアルモノラル音声ＰＥＳストリームと、ＲＤＩ（Real-time Data Information）パックとに分離するＰＳアンパケタイズ器１２と、ＲＤＩパックをＮＡＶパックに変換するＲＤＩ−ＮＡＶパック変換器１３と、音声再構成器１４と、再構成された２チャンネルのモノラル音声ＰＥＳストリームとＮＡＶ（navigation）パックと画像ＰＥＳストリームとからＤＶＤ−Ｖｉｄｅｏ規格に準拠した符号化ストリームを生成するビデオ（Ｖｉｄｅｏ）ＰＳパケタイズ器１５と、ビデオＰＳパケタイズ器１５からのＤＶＤ−Ｖｉｄｅｏ規格に準拠した符号化ストリームを格納する第２の外部記憶装置１６とから構成される。
【００１９】
上記のビデオＰＳパケタイズ器１５は、ＤＶＤ−ＶＲ規格の画像音声ストリームからＤＶＤ−Ｖｉｄｅｏ規格の画像音声ストリームに変換するときには、画像ＰＥＳストリーム、モノラル音声ＰＥＳストリームを適当な大きさに分割し、ＭＰＥＧ２ ＰＳパケットを生成すると共に、適当なタイミングで後述するＮＡＶパックを出力する。
【００２０】
また、上記の音声再構成器１４は、ＰＳアンパケタイズ器１２からのデュアルモノラル音声ＰＥＳストリームの音声符号化データを再符号化することなくモノラル音声２ストリームに分離するモノラルストリーム分離器１４１と、モノラルストリーム用の付加情報を抽出するモノラル情報抽出器１４２と、モノラルストリーム付加情報を生成して上記の２つのモノラルストリームに多重するモノラルストリーム付加情報多重器１４３及び１４４とから構成され、入力されたデュアルモノラル音声ＰＥＳストリームを再符号化することなく、２つのモノラル音声ＰＥＳストリームに変換して出力する。
【００２１】
図２はＰＳアンパケタイズ器１２から出力されるデュアルモノラル音声ＰＥＳストリームの一例のフォーマットを示す。このデュアルモノラル音声ＰＥＳストリームは、ＭＰＥＧオーディオ符号化方式によって符号化された音声データストリームである。以下では、ＭＰＥＧ１／２レイヤ２を想定して説明を行う。ＭＰＥＧオーディオ符号化では、複数のオーディオアクセスユニット（ＡＡＵ）から構成され、１つのオーディオアクセスユニットは、図２（Ａ）に示すように、ヘッダ（ｈｅａｄｅｒ）２１、エラーチェック情報（ｅｒｒｏｒ＿ｃｈｅｃｋ）２２、オーディオデータ（ａｕｄｉｏ＿ｄａｔａ）２３、補助情報（ａｎｃｉｌｌａｒｙ＿ｄａｔａ）２４より構成される。
【００２２】
上記のオーディオデータ２３以外のヘッダ２１、エラーチェック情報２２及び補助情報２４が音声付加情報を構成している。また、ヘッダ２１は、図２（Ｂ）に示すように、先頭に固定パターンの同期ワード２５が配置され、また、符号長に関与する情報であるビットレートインデックス（ｂｉｔｒａｔｅ＿ｉｎｄｅｘ）２６、パディングビット（ｐａｄｄｉｎｇ＿ｂｉｔ）２７、デュアルモノラル音声／モノラル音声を区別するフラグ（ｍｏｄｅ）２８その他が配置されている。
【００２３】
ＭＰＥＧオーディオ符号は、固定ビットレートの符号であり、つまり、単位時間当りの符号長は一定である。しかし、符号化処理は入力信号に応じた適応量子化が行われるために、符号化データだけで符号長を一定にすることは困難である。そのため、主に符号長を調整する目的で、復号に関係ない符号、あるいは符号化に関係しない符号（すなわち、ダミーデータ）を補助情報（ａｎｃｉｌｌａｒｙ ｄａｔａ）２４に挿入することが許可されている。
【００２４】
そこで、本実施の形態では、互いに独立した２チャンネルのモノラル音声信号がＭＰＥＧ方式により圧縮符号化されてなるオーディオデータを含むＭＰＥＧデュアルモノラル音声ストリームのフォーマットを、１チャンネルのモノラル音声信号がＭＰＥＧ方式により圧縮符号化されてなるオーディオデータを含むＭＰＥＧモノラル音声ストリームのフォーマットに変換するにあたり、ダミーデータによってＭＰＥＧモノラル音声ストリームの符号長を調整するために、既に適当な長さのダミーデータが挿入され、かつ、ＭＰＥＧモノラル音声ストリームへの変換に必要な情報が予め別領域に記録されたＭＰＥＧデュアルモノラル音声ストリームを、復号及び再符号化することなく並び替えでＭＰＥＧモノラル音声ストリームへ変換するものである。
【００２５】
このため、第１の外部記憶装置１１には、ＤＶＤ−ＶＲ規格に準拠した画像音声ストリームが格納されているが、その中のＭＰＥＧデュアルモノラル音声ストリームには既に適当な長さのダミーデータが挿入され、かつ、ＭＰＥＧモノラル音声ストリームへの変換に必要な情報が予め別領域に記録されている点に特徴がある。そこで、図１の実施の形態の動作を説明する前に、第１の外部記憶装置１１に格納される所定の構成のＤＶＤ−ＶＲ規格に準拠した画像音声ストリームの生成装置について説明する。
【００２６】
図３は第１の外部記憶装置１１に格納される所定の構成のＤＶＤ−ＶＲ規格に準拠した画像音声ストリームの生成装置の一例のブロック図を示す。この画像音声ストリーム生成装置は、２チャンネルのモノラルＰＣＭ（パルス符号変調）音声信号が供給される音声エンコーダ３０と、画像信号が入力されて画像ＰＥＳストリームを生成する画像エンコーダ３１と、ＲＤＩパックを生成するＲＤＩパック生成器３２と、ＤＶＤ−ＶＲ規格準拠の画像音声ストリームを生成して第１の外部記憶装置１１に格納するＰＳパケタイズ器３３とから構成される。
【００２７】
音声エンコーダ３０は、２つの音声フレーム符号化器３０１及び３０２と、音声フレーム符号化器３０１及び３０２に対応して個別に設けられた２つのビット割り当て器３０３及び３０４と、単一のデュアルモノラルストリーム付加情報生成多重器３０５と、２つのモノラルストリーム付加情報生成器３０６及び３０７とから構成される。ＲＤＩパック生成器３２は、モノラルストリーム付加情報生成器３０６及び３０７の各出力付加情報と、画像エンコーダ３１からの画像ＰＥＳストリームに関連する情報からＲＤＩパックを生成する。
【００２８】
次に、このＤＶＤ−ＶＲ規格準拠の画像音声ストリーム生成装置の動作について説明する。独立した２つのチャンネルのアナログ音声信号をＰＣＭ変調して得られた、独立した２つのチャンネルのモノラルＰＣＭ音声信号は、音声エンコーダ３０内の音声フレーム符号化器３０１、３０２にチャンネル別に供給され、ここでＭＰＥＧ方式に従いオーディオブロック単位で圧縮符号化が行われて音声フレーム（符号化オーディオデータ）とされる。
【００２９】
すなわち、音声フレーム符号化器３０１、３０２は、入力モノラルＰＣＭ音声信号を逐次解析し、適当なフィルタを設定し、そのフィルタ係数をビット割り当て器３０２、３０４から得られる情報を基に量子化し、符号化された音声フレームを生成する。ビット割り当て器３０３及び３０４は、オーディオブロックに割り当てるビット量を計算し、音声フレーム符号化器３０１及び３０２で発生するビット量を制御する。
【００３０】
デュアルモノラルストリーム付加情報生成多重器３０５は、デュアルモノラル音声ストリームを構成するのに必要な音声付加情報を生成し、音声フレーム符号化器３０１及び３０２からそれぞれ出力された２つのチャンネルの音声フレームを結合してＭＰＥＧデュアルモノラル音声ＰＥＳビットストリームを生成する。上記音声フレームは、図２（Ａ）中のオーディオデータ（ａｕｄｉｏ＿ｄａｔａ）２３を意味し、上記音声付加情報は、図２（Ａ）中のヘッダ（ｈｅａｄｅｒ）２１、エラーチェック情報（ｅｒｒｏｒ＿ｃｈｅｃｋ）２２、補助情報（ａｎｃｉｌｌａｒｙ＿ｄａｔａ）２４を意味している。
【００３１】
生成されたデュアルモノラル音声ＰＥＳビットストリームは、ＰＳパケタイズ器３３へ出力される。また、音声エンコーダ３０内のモノラルストリーム付加情報生成器３０６及び３０７は、音声フレーム符号化器３０１及び３０２からそれぞれ出力された２つのチャンネルの音声フレームに基づき、モノラル音声ストリームを構成するのに必要な付加情報を生成する。
【００３２】
一方、画像エンコーダ３１は、入力された画像信号に対してＭＰＥＧ方式に従って高能率圧縮符号化を行って、画像ＰＥＳストリームを生成し、得られた画像ＰＥＳストリームをＲＤＩパック生成器３２とＰＳパケタイズ器３３にそれぞれ出力する。ＲＤＩパック生成器３２は、モノラルストリーム付加情報生成器３０６及び３０７から供給されたモノラル２音声ストリームを構成するのに必要な付加情報と、画像エンコーダ３１から供給された画像ＰＥＳストリームとから、ＤＶＤ−ＶＲ規格に準拠した固定長のＲＤＩパックを生成する。
【００３３】
また、デュアルモノラルストリーム付加情報生成多重器３０５では、２チャンネル分のモノラル音声フレームと、付加情報（ヘッダ、補助情報、エラーチェック情報など）を発生して、デュアルモノラル音声ＰＥＳストリームを構成する。この際、デュアルモノラルストリーム付加情報生成多重器３０５からはダミーデータが予め挿入されたデュアルモノラル音声ＰＥＳストリームが出力される。すなわち、このデュアルモノラル音声ＰＥＳストリームは、２チャンネルに分割するに際して増大するビット量を予め求め、その増大するビット量分に相当するビット量の符号化に関係しないダミーデータが付加情報中に挿入されてストリーム長が調整されている。
【００３４】
なお、上記の符号化に関係しないダミーデータのビット量は、図２（Ａ）に示した補助情報（ａｎｃｉｌｌａｒｙ＿ｄａｔａ）２４のビット量に相当し、また、上記の２チャンネルに分割するに際して増大するビット量は、図２（Ａ）に示したヘッダ２１のビット量とエラーチェック情報２２のビット量との和のビット量（固定量）に、変換後の２つのチャンネルの各モノラル音声ＰＥＳストリーム中の補助情報のビット量をそれぞれ加算したビット量である。
【００３５】
また、ＲＤＩパック生成器３２は、例えばＲＤＩパックの製造者情報（ＭＮＦＩ）中に含まれる、アプリケーションでの使用を目的としたデータＭＮＦＩ＿ＤＴに、モノラルストリーム付加情報生成器３０６及び３０７で生成した、モノラル音声ストリーム変換時に使用する補助情報（ａｎｃｉｌｌａｙ＿ｄａｔａ）のビット長と、ヘッダ全部を記述したＲＤＩパックを生成する。
【００３６】
ＰＳパケタイズ器３３は、音声エンコーダ３０から出力されたデュアルモノラル音声ＰＥＳストリームと、ＲＤＩパック生成器３２から出力されたＲＤＩパックと、画像エンコーダ３１から出力された画像ＰＥＳストリームとを入力として受け、デュアルモノラル音声ＰＥＳストリームと画像ＰＥＳストリームとを適当な大きさに分割してＭＰＥＧ２に規定されたＰＳパケットを生成すると共に、そのＰＳパケットストリーム中に適当なタイミングでＲＤＩパックを挿入して、ＤＶＤ−ＶＲ規格に準拠した符号化ストリーム（画像音声ストリーム）を生成して第１の外部記憶装置１１に格納する。
【００３７】
再び図１に戻って説明するに、第１の外部記憶装置１１から読み出された上記のＤＶＤ−ＶＲ規格に準拠したフォーマットの第１の画像音声ストリームは、ＰＳアンパケタイズ器１２に供給されてオーディオパックからデュアルモノラル音声ＰＥＳストリームが、ビデオパックから画像ＰＥＳストリームがそれぞれ分離され、またＲＤＩパックが分離されてＲＤＩ−ＮＡＶパック変換器１３に供給され、ここでＤＶＤ−ＶＲ規格に準拠するＲＤＩパックからＤＶＤ−Ｖｉｄｅｏ規格に準拠するＮＡＶパックに変換される。
【００３８】
音声再構成器１４は、モノラルストリーム分離器１４１にて、ＰＳアンパケタイズ器１２からの図２（Ａ）、図４（Ａ）に示すフォーマットのデュアルモノラル音声ストリームのオーディオデータ２３を２つのチャンネルに分離し、モノラル音声ストリームのオーディオデータ（音声フレーム）を得る。また、音声再構成器１４は、モノラル情報抽出器１４２にて、ＲＤＩ−ＮＡＶパック変換器１３から供給されるＲＤＩパックの前記ＭＮＦＩ＿ＤＴを受けて、モノラル音声ストリームへの変換時に使用する付加情報（ここでは補助情報に関するビット長とヘッダ情報全部）を抽出し、モノラル付加情報生成器１４３及び１４４にそれぞれ供給する。
【００３９】
続いて、音声再構成器１４は、モノラルストリーム付加情報多重器１４３及び１４４のそれぞれにおいて、モノラルストリーム分離器１４１により２つのチャンネルに分離されたデュアルモノラル音声ストリームのオーディオデータ（音声フレーム）に、モノラル情報抽出器１４２で抽出した付加情報を多重化した後、不足している付加情報（例えば、エラーチェック情報や補助情報）があれば、変換、再計算を行った上で、再度多重化を行い、図４（Ｂ）、（Ｃ）に示したフォーマットの第１及び第２のモノラル音声ＰＥＳストリームを生成する。
【００４０】
ここで、図４（Ｂ）、（Ｃ）に示すように、モノラルストリーム付加情報多重器１４３、１４４で生成された第１のモノラル音声ＰＥＳストリームと第２のモノラル音声ＰＥＳストリームは、先頭にモノラル情報抽出器１４２で生成されたヘッダ４１、５１が配置され、続いて再計算されたエラーチェック情報（ｅｒｒｏｒ＿ｃｈｅｃｋ）４２、５２と、モノラルストリーム分離器１４１で２つのチャンネルに分離されたオーディオデータ（ａｕｄｉｏ＿ｄａｔａ）４３、５３とが配置され、最後にダミーデータである補助情報（ａｎｃｉｌｌａｒｙ＿ｄａｔａ）４４、５４が配置された構造の固定長の構成である。
【００４１】
図１のビデオＰＳパケタイズ器１５は、音声再構成器１４内のモノラルストリーム付加情報多重器１４３、１４４からそれぞれ出力された、図４（Ｂ）、（Ｃ）に示すフォーマットの第１、第２のモノラル音声ＰＥＳストリームと、ＰＳアンパケタイズ器１２により分離された画像ＰＥＳストリームとを多重してＰＳパケットストリームを生成すると共に、ＲＤＩ−ＮＡＶパック変換器１３から出力されるＮＡＶパックを適当なタイミングで多重して、ＤＶＤ−Ｖｉｄｅｏ規格に準拠した符号化ストリームを生成する。
【００４２】
ビデオＰＳパケタイズ器１５により生成されたＤＶＤ−Ｖｉｄｅｏ規格に準拠した符号化ストリームは、第２の外部記憶装置１６へ出力されて格納される。外部記憶装置１６は、例えばハードディスクドライブ（ＨＤＤ）又はＤＶＤメディアである。なお、図１では、外部記憶装置１１及び外部記憶装置１６を説明の便宜上分けたが、実際には時分割処理が行える機器であれば単独の外部記憶装置でよい。
【００４３】
このように、本実施の形態によれば、２チャンネル独立音声をＭＰＥＧ方式で符号化されたＤＶＤ−ＶＲ規格に準拠するデュアルモノラル音声符号ストリームをＤＶＤ−Ｖｉｄｅｏ規格に準拠するＭＰＥＧ方式のモノラル音声ストリームに変換するために、デュアルモノラル音声符号ストリームを２つのチャンネルのモノラル音声ストリームに再符号化することなくフォーマット変換するに際して増大するビット量を予め求め、そのビット量に相当するビット量の符号化に必要でないダミーデータを、デュアルモノラル音声符号ストリーム中に予め挿入し、モノラル音声ストリームの音声符号への変換に必要な付加情報をＲＤＩパックのＭＮＦＩ＿ＤＴ中に記述するようにして作成した画像音声ストリームを外部記憶装置１１に記憶するようにしたため、その外部記憶装置１１にある画像音声ストリームからデュアルモノラル音声ストリームとＲＤＩパックとを抜き出して、復号及び再符号化することなく並び替えで２つのモノラル音声ストリームへ高速に変換することができる。
【００４４】
次に、本発明の符号化装置の一実施の形態について説明する。図５は本発明による符号化装置の一実施の形態のブロック図を示す。同図中、図１及び図３と同一構成部分には同一符号を付し、その説明を省略する。図５に示す符号化装置は、音声エンコーダ３０により、独立した２つのモノラルＰＣＭ音声信号をＭＰＥＧ方式で符号化して得た音声フレームと音声付加情報からなるデュアルモノラル音声ＰＥＳストリームと、モノラルストリームの付加情報とを生成する一方、画像信号を画像エンコーダ３１により、画像ＰＥＳビットストリームを生成し、更にＲＤＩパック生成器３２によりＲＤＩパックを生成し、これらをＰＳパケタイズ器３３で多重化してＤＶＤ−ＶＲ規格に準拠した画像音声ストリームを生成して第１の外部記憶装置６１に記憶する。
【００４５】
すなわち、第１の外部記憶装置６１には図３と共に説明したように、ＤＶＤ−ＶＲ規格に準拠するデュアルモノラル音声符号ストリームをＤＶＤ−Ｖｉｄｅｏ規格に準拠するモノラル音声ストリームに分割する際に増大するビット量の、符号化に関係しないダミーデータが予め挿入されたＭＰＥＧデュアルモノラル音声ストリームが含まれており、更にモノラル音声ストリームへの変換に必要な情報がＲＤＩパック中のＭＮＦＩ＿ＤＴ中に記述されているような、ＤＶＤ−ＶＲ規格に準拠した画像音声ストリームが記憶される。
【００４６】
この第１の外部記憶装置６１から読み出されたＤＶＤ−ＶＲ規格に準拠する画像音声ストリームは、図１に示した音声フォーマット変換装置と同じ構成により、ＤＶＤ−Ｖｉｄｅｏ規格に準拠する画像音声ストリームに変換されて第２の外部記憶装置６２に記憶される。すなわち、この符号化装置は、独立した２チャンネルのモノラルＰＣＭ音声信号と画像信号とから一旦ＤＶＤ−ＶＲ規格に準拠した第１の画像音声ストリームを生成し、その後フォーマット変換してＤＶＤ−Ｖｉｄｅｏ規格に準拠する第２の画像音声ストリームに符号化することができる。
【００４７】
なお、本発明は以上の実施の形態に限定されるものではなく、第１の外部記憶装置６１にはＤＶＤ−ＶＲ規格に準拠する画像音声ストリームが格納されているが、それに含まれるＭＰＥＧデュアルモノラル音声ストリーム中の符号化に関係しないダミーデータのビット量は、前記実施の形態のようなモノラル音声ストリームに分割する際に増大するビット量に設定されていなくてもよい。
【００４８】
この場合は、モノラルストリーム付加情報多重器１４３、１４４において、モノラルストリーム分離器１４１から供給される２つのチャンネルに分離されたオーディオデータ（図４（Ｂ）、（Ｃ）の４３、５３）のそれぞれに、モノラル情報抽出器１４２で生成された所定のビット数（ビット量と同義）のヘッダ（図４（Ｂ）、（Ｃ）の４１、５１）と、再計算された所定ビット数のエラーチェック情報（図４（Ｂ）、（Ｃ）の４２、５２）とを別々に多重した後、全体のビット数（符号長）が所定の固定長となるようにダミーデータ（図４（Ｂ）、（Ｃ）の補助情報４４、５４に相当）のビット数が調整されて多重される。
【００４９】
なお、本発明は、ＭＰＥＧオーディオと互換性を有する符号化方式の音声データのフォーマットの変換にも有効であるのは勿論である。また、図５において、ＰＳパケタイズ器３３とビデオ（Ｖｉｄｅｏ）ＰＳパケタイズ器１５とは構成及び機能が似ているため、１つにまとめることも可能である。
【図面の簡単な説明】
【００５０】
【図１】本発明の音声フォーマット変換装置の一実施の形態のブロック図である。
【図２】ＭＰＥＧオーディオ符号化方式で符号化した音声ストリームを示す構造図である。
【図３】図１の外部記憶装置に格納される所定の構成のＤＶＤ−ＶＲ規格に準拠した画像音声ストリームの生成装置の一例のブロック図である。
【図４】図１の要部におけるデュアルモノラル音声ストリームの分離例を示す図である。
【図５】本発明の符号化装置の一実施の形態のブロック図である。
【符号の説明】
【００５１】
１１、１６、６１、６２  外部記憶装置
１２  ＰＳアンパケタイズ器
１３  ＲＤＩ−ＮＡＶパック変換器
１４  音声再構成器
１５  ビデオ（Ｖｉｄｅｏ）ＰＳパケタイズ器
３０  音声エンコーダ
３１  画像エンコーダ
３２  ＲＤＩパック生成器
３３  ＰＳパケタイズ器
１４１  モノラルストリーム分離器
１４２  モノラル情報抽出器
１４３、１４４  モノラルストリーム付加情報多重器
【図１】
2006349977.tif 000003
【図２】
2006349977.tif 000004
【図３】
2006349977.tif 000005
【図４】
2006349977.tif 000006
【図５】
2006349977.tif 000007